(57)【要約】【課題】  柱上変圧器と電柱とを絶縁することができる変圧器装柱具を提供する。【解決手段】  端部で柱上変圧器Ｘを保持する保持部１２と、保持部１２を電柱Ｙに固定する固定部１１とを備える変圧器装柱具において、保持部１２は、柱上変圧器Ｘと電柱Ｙとを絶縁すべく、絶縁性を有する部位１２１を備えることを特徴とする。【選択図】  図２
2010041845.tif 000002
【特許請求の範囲】
【請求項１】
端部で柱上変圧器を保持する保持部と、保持部を電柱に固定する固定部とを備える変圧器装柱具において、
保持部は、柱上変圧器と電柱とを絶縁すべく、絶縁性を有する部位を備えることを特徴とする変圧器装柱具。
【請求項２】
保持部は、前記絶縁性を有する部位の表面が撥水性を有して構成される請求項１に記載の変圧器装柱具。
【請求項３】
保持部は、固定部に固定されるアーム部と、アーム部の端部に設けられ且つ柱上変圧器を係止する係止部とを備え、
アーム部は、全体が絶縁性を有すると共に、表面が撥水性を有して構成される請求項２に記載の変圧器装柱具。
【請求項４】
保持部は、筒状に形成されるアーム部の内部に、アーム部の長手方向に沿って配置される長尺部材をさらに備え、
長尺部材は、アーム部が折損した際には、柱上変圧器が脱落するのを防止すべく、固定部に係止され且つ係止部を係止するように構成される請求項３に記載の変圧器装柱具。
【請求項５】
保持部は、筒状に形成されるアーム部の内部に、アーム部の長手方向に沿って配置される金属製の長尺部材をさらに備え、
長尺部材は、それぞれ金属製の固定部と係止部とを絶縁すべく、固定部及び係止部の少なくとも何れか一方と間隙を有して配置される一方、アーム部が折損した際には、柱上変圧器が脱落するのを防止すべく、固定部に係止され且つ係止部を係止するように構成される請求項３に記載の変圧器装柱具。
【発明の詳細な説明】
【技術分野】
【０００１】
本発明は、柱上変圧器を電柱に装着するための変圧器装柱具に関する。
【背景技術】
【０００２】
従来、柱上変圧器を電柱に装着するための変圧器装柱具として、端部で柱上変圧器を保持する保持部と、保持部を電柱に固定する固定部とを備える変圧器装柱具が知られている（例えば、特許文献１）。かかる変圧器装柱具は、一般的に、金属体で構成される。なお、柱上変圧器は、異常時の電位上昇、高電圧の侵入等による感電、火災の危険防止のため、低圧側の一端子及び外部筐体を接地線によりそれぞれ接地されている。
【特許文献１】実開昭６１−３０２２０号公報
【発明の開示】
【発明が解決しようとする課題】
【０００３】
しかしながら、柱上変圧器が接地されることにより、安全が確保された上においても、柱上変圧器と電柱とを絶縁させる方が望ましい。例えば、柱上変圧器が金属製の電柱に装着される場合においては、柱上変圧器にＡ種接地工事を施す必要があるが、柱上変圧器と電柱とが絶縁されることにより、Ｂ種接地工事とすることができ、その結果、接地工事費の削減が図れる。
【０００４】
また、例えば、柱上変圧器がコンクリート製の電柱に装着される場合においても、柱上変圧器と電柱とが絶縁されることにより、電柱の地上付近の部位における安全性をより高めることができる。
【０００５】
よって、本発明は、かかる事情に鑑み、柱上変圧器と電柱とを絶縁することができる変圧器装柱具を提供することを課題とする。
【課題を解決するための手段】
【０００６】
本発明に係る変圧器装柱具は、端部で柱上変圧器を保持する保持部と、保持部を電柱に固定する固定部とを備える変圧器装柱具において、保持部は、柱上変圧器と電柱とを絶縁すべく、絶縁性を有する部位を備えることを特徴とする。
【０００７】
本発明によれば、固定部が保持部を電柱に固定し、保持部が端部で柱上変圧器を保持するため、柱上変圧器が電柱に装着される。そして、保持部が絶縁性を有する部位を備えるため、柱上変圧器と電柱とを絶縁することができる。
【０００８】
本発明に係る変圧器装柱具においては、保持部は、前記絶縁性を有する部位の表面が撥水性を有して構成されてもよい。
【０００９】
かかる構成によれば、保持部における前記絶縁性を有する部位の表面が撥水性を有するため、雨が当該部位の表面に降っても、当該部位の表面が雨をはじく。これにより、雨が当該部位の表面に滞留して満たされるのを防止できるため、雨を介して柱上変圧器と電柱とが導通するのを防止できる。したがって、降雨の際においても、柱上変圧器と電柱とを確実に絶縁することができる。
【００１０】
本発明に係る変圧器装柱具においては、保持部は、固定部に固定されるアーム部と、アーム部の端部に設けられ且つ柱上変圧器を係止する係止部とを備え、アーム部は、全体が絶縁性を有すると共に、表面が撥水性を有して構成されてもよい。
【００１１】
かかる構成によれば、アーム部が固定部に固定され、アーム部の端部に配置される係止部が柱上変圧器を係止することにより、柱上変圧器が電柱に装着される。そして、アーム部の全体が絶縁性を有して構成されると共に、アーム部の表面が撥水性を有して構成されため、柱上変圧器と電柱とを確実に絶縁することができる。
【００１２】
本発明に係る変圧器装柱具においては、保持部は、筒状に形成されるアーム部の内部に、アーム部の長手方向に沿って配置される長尺部材をさらに備え、長尺部材は、アーム部が折損した際には、柱上変圧器が脱落するのを防止すべく、固定部に係止され且つ係止部を係止するように構成されてもよい。
【００１３】
かかる構成によれば、長尺部材が筒状に形成されるアーム部の内部においてアーム部の長手方向に沿って配置されるため、アーム部が折損した際には、長尺部材が固定部に係止されて且つ係止部を係止する。したがって、アーム部が折損したとしても、柱上変圧器が脱落するのを防止できる。
【００１４】
本発明に係る変圧器装柱具においては、保持部は、筒状に形成されるアーム部の内部に、アーム部の長手方向に沿って配置される金属製の長尺部材をさらに備え、長尺部材は、それぞれ金属製の固定部と係止部とを絶縁すべく、固定部及び係止部の少なくとも何れか一方と間隙を有して配置される一方、アーム部が折損した際には、柱上変圧器が脱落するのを防止すべく、固定部に係止され且つ係止部を係止するように構成されてもよい。
【００１５】
かかる構成によれば、筒状に形成されるアーム部の内部にアーム部の長手方向に沿って配置される金属製の長尺部材が、それぞれ金属製の固定部及び係止部の少なくとも何れか一方と間隙を有して配置されるため、固定部と係止部とを絶縁する。そして、アーム部が折損した際には、長尺部材が固定部に係止されて且つ係止部を係止するため、アーム部が折損するまでは、固定部と係止部、即ち、電柱と柱上変圧器とを絶縁することができる一方、アーム部が折損した際には、柱上変圧器が脱落するのを防止できる。
【発明の効果】
【００１６】
以上の如く、本発明に係る変圧器装柱具によれば、固定部により電柱に固定される保持部に、絶縁性を有する部位が設けられるため、柱上変圧器と電柱とを絶縁することができるという優れた効果を奏する。
【発明を実施するための最良の形態】
【００１７】
以下、本発明に係る変圧器装柱具における一実施形態について、図１〜図１０を参酌して説明する。
【００１８】
図１に示すように、変圧器装柱具により電柱に設置される柱上変圧器（以下、単に「変圧器」ともいう）Ｘは、円柱状に形成される。そして、変圧器Ｘは、変圧器装柱具に係止される被係止部Ｘ１，Ｘ２が上下一対設けられている。
【００１９】
各被係止部（上方側の第１被係止部，下方側の第２被係止部）Ｘ１，Ｘ２は、それぞれ径方向に突出し且つ上下方向に沿って角筒状に形成されている。また、各被係止部Ｘ１，Ｘ２は、下端側から上方向に向けて溝（図示していない）が形成されている。
【００２０】
本実施形態に係る変圧器装柱具は、上方側に配置される第１装柱具（以下、「第１変圧器保持具」ともいう）１と、下方側に配置される第２装柱具（以下、「第２変圧器保持具」ともいう）２とを備える。具体的には、変圧器装柱具は、第１被係止部Ｘ１にて変圧器Ｘを保持（係止）する第１装柱具１と、第２被係止部Ｘ２にて変圧器Ｘを保持（係止）する第２装柱具２とを備える。
【００２１】
第１装柱具１は、図２〜図４に示すように、電柱Ｙに固定される固定部１１と、電柱Ｙから水平方向に突出し、端部で変圧器Ｘを保持する保持部１２とを備え、固定部１１は、保持部１２を電柱Ｙに固定する。また、第１装柱具１は、高圧カットアウト（図示していない）が取り付けられる腕金Ｚを保持可能な高圧カットアウト支持部１３をさらに備える。
【００２２】
固定部１１は、図５及び図６に示すように、電柱Ｙに固定される電柱固定手段１１１と、保持部１２を固定する保持部固定手段１１２とを備え、電柱固定手段１１１と保持部固定手段とは、互いに固定されている。なお、固定部１１は、金属体で構成される。
【００２３】
電柱固定手段１１１は、電柱Ｙを周方向にて囲むバンド部材１１１ａを締め付けることにより、電柱Ｙに締着される。また、電柱固定手段１１１は、電柱Ｙと上下方向（電柱Ｙの軸心方向）に沿って当接する一対の当接部材１１１ｂ，１１１ｂを備える。
【００２４】
一対の当接部材１１１ｂ，１１１ｂは、上下方向に延設され、互いに平行となるように配置される。そして、一対の当接部材１１１ｂ，１１１ｂは、水平方向にて凸状に形成され、先端が電柱Ｙに当接することにより、例えば、電柱Ｙに対して周方向に変位するのを防止できると共に、電柱Ｙに対して保持部１２を所望の位置に配置できる（自然と位置決めできる）。
【００２５】
保持部固定手段１１２は、保持部１２を固定すべく、保持部１２を挾持する挾持部材１１２ａ，１１２ｂを備え、挾持部材１１２ａ，１１２ｂは、押圧手段１１２ｃにより外側から保持部１２を押圧する。具体的には、挟持部材１２２ａ，１２２ｂは、ボルト１１２ｄ及びナット１１２ｅにより保持部１２と圧接している。
【００２６】
電柱Ｙ側に配置される（第１の）挾持部材１１２ａは、電柱固定手段１１１の当接部材１１１ｂと一体化されている。また、その反対側に配置される（第２の）挾持部材１１２ｂは、角筒状に形成される保持部１２の部位に対して、平面の部位よりも機械的強度の大きい角の部位と当接するように構成される。
【００２７】
保持部１２は、図２〜図４に示すように、電柱Ｙから水平方向に突出して配置され且つ固定部１１に固定されるアーム部１２１と、アーム部１２１の端部に設けられ且つ変圧器Ｘを係止する係止部１２２とを備える。
【００２８】
また、保持部１２は、筒状に形成されるアーム部１２１の内部に、アーム部１２１の長手方向（水平方向）に沿って配置される長尺部材１２３を備える。さらに、保持部１２は、変圧器Ｘが係止部１２２から脱落するのを防止するための脱落防止部１２４を備える。
【００２９】
アーム部１２１は、変圧器Ｘと電柱Ｙとを絶縁させるべく、絶縁性を有する部位を備え、さらに、降雨の際においても変圧器Ｘと電柱Ｙとの絶縁を維持すべく、前記絶縁性を有する部位は、表面が撥水性を有して構成される。具体的には、アーム部１２１は、全体が絶縁性を有して構成されると共に、表面が撥水性を有して構成される。
【００３０】
より具体的には、図７及び図８に示すように、アーム部１２１は、絶縁体（例えばＦＲＰといった硬質樹脂）で長尺な角筒状に形成され、さらに、撥水性を有する塗料が表面に塗布されて構成される。そして、アーム部１２１は、両端部にそれぞれ切欠部１２１ａ，１２１ａを備える。
【００３１】
また、アーム部１２１は、係止部１２２を取り付けるための第１取付孔１２１ｂ，…が両側面部に設けられ、脱落防止部１２４を取り付けるための第２取付孔１２１ｃ，…が上面部及び下面部に設けられ、さらに、高圧カットアウト支持部１３を取り付けるための第３取付孔１２１ｄ，…が上面部及び下面部に設けられる。
【００３２】
係止部１２２，１２２は、金属体で構成され、アーム部１２１の長手方向の両端部に一対設けられる。そして、係止部１２２は、変圧器Ｘの角筒状に形成される第１被係止部Ｘ１に下方側から内挿されるべく（図２及び図３参照）、上方に向けて突出する（立設される）突出部１２２ａと、アーム部１２１に取り付けられるべく、アーム部１２１の上面部及び側面部を覆うように配置される取付部１２２ｂとを備える。
【００３３】
また、係止部１２２は、係止部固定手段１２２ｃにより、アーム部１２１に固定される。この係止部固定手段１２２ｃは、取付部１２２ｂに設けられる孔１２２ｄ，１２２ｄ及びアーム部１２１の第１取付孔１２１ｂ，１２１ｂを挿通するボルト１２２ｅと、このボルト１２２ｃに螺合されるナット１２２ｆ，１２２ｆとから構成される。
【００３４】
さらに、係止部１２２は、変圧器Ｘの第１被係止部Ｘ１と、第１被係止部Ｘ１に内挿された突出部１２２ａとを固定すべく（図２参照）、変圧器固定手段１２２ｇを備える。この変圧器固定手段１２２ｇは、第１被係止部Ｘ１の溝と、突出部１２２ａに設けられる孔（採番しない）とを挿通するボルト１２２ｈと、このボルト１２２ｈに螺合されるナット１２２ｉとから構成される。
【００３５】
長尺部材１２３は、金属体であって、長尺な板状に形成される。そして、長尺部材１２３は、アーム部１２１の内部に、アーム部１２１の長手方向に沿って配置される。具体的には、長尺部材１２３は、角筒状に形成されるアーム部１２１の側面部の内面に当接して配置される。
【００３６】
また、長尺部材１２３は、長尺部材固定手段１２３ａにより、アーム部１２１と固定される。この長尺部材固定手段１２３ａは、長尺部材１２３に設けられる孔１２３ｂ及びアーム部１２１の第１取付孔１２１ａを挿通するボルト１２３ｃと、このボルト１２３ｃに螺合されるナット１２３ｄ，１２３ｄとから構成される。
【００３７】
なお、本実施形態においては、長尺部材固定手段１２３ａのボルト１２３ｃと、係止部固定手段１２２ｃのボルト１２２ｅとが共通（同一）であり、また、長尺部材固定手段１２３ａのナット１２３ｄと、係止部固定手段１２２ｃの一方のナット１２２ｆとが共通（同一）である。これにより、長尺部材１２３は、係止部１２２を係止するように構成されている。
【００３８】
また、長尺部材１２３は、それぞれ金属体で構成される固定部１１と係止部１２２とを絶縁させるべく、固定部１１と間隙ｔを有して配置される一方、アーム部１２１が折損した際には、変圧器Ｘが脱落するのを防止すべく、固定部１１に係止されるように構成される。
【００３９】
具体的には、長尺部材１２３は、固定部１１（保持部固定手段１１２の押圧手段１１２ｃ）のボルト１１２ｄに挿通される係止孔１２３ｅを備え、アーム部１２１が正常である際は（アーム部１２１が折損するまでは）、係止孔１２３ｅがボルト１１２ｄと接触しないように配置される一方、アーム部１２１が折損した際には、係止孔１２３ｅがボルト１１２ｄに係止される。
【００４０】
脱落防止部１２４は、変圧器Ｘの第１被係止部Ｘ１の上端部を掛止する（図３参照）フック部１２４ａと、アーム部１２１の第２取付孔１２１ｃ，１２１ｃに挿通されるネジ部１２４ｂと、ネジ部１２４ｂがアーム部１２１に固定されることにより、フック部１２４ａが第１被係止部Ｘ１を掛止した状態で維持すべく、このネジ部１２４ｂに螺合されるナット１２４ｃ，１２４ｃとを備える。なお、脱落防止部１２４は、金属体で構成される。
【００４１】
高圧カットアウト支持部１３は、図２〜図４に示すように、高圧配電線から延びる高圧引下げ線（図示しない）と変圧器Ｘとの間に接続される高圧カットアウト（図示しない）が取り付けられる腕金Ｚを保持すべく、アーム部１２１の長手方向（水平方向）の中央部に配置される。
【００４２】
そして、高圧カットアウト支持部１３は、支持部固定手段１３１によりアーム部１２１に取り付けられるべく、アーム部１２１の上面部及び一方の側面部並びに下面部を覆う取付部１３２を備える。この支持部固定手段１３１は、取付部１３２に設けられる孔（図示しない）及びアーム部１２１の第３取付孔１２１ｃ，１２１ｃを挿通するボルト１３１ａと、このボルト１３１ａに螺合されるナット１３１ｂとから構成される。
【００４３】
また、高圧カットアウト支持部１３は、腕金Ｚをアーム部１２１とは異なる高さ位置で保持するように構成される。具体的には、高圧カットアウト支持部１３は、腕金Ｚを電柱Ｙの径方向に沿って配設すべく、アーム部１２１の上方に配置される腕金保持部１３２と、取付部１３２と腕金保持部１３３とを連結すべく、上下方向に沿って延設される連結部１３４とを備える。
【００４４】
さらに、高圧カットアウト支持部１３は、電柱Ｙに対応して湾曲状（円弧状）に形成され且つ電柱と当接する電柱当接部１３５を備える。この電柱当接部１３５は、例えば、腕金Ｚに高圧カットアウトを取り付ける作業を行う際に、高圧カットアウト支持部１３に対して外力が加えられたとしても、外力を分散させて電柱Ｙにも受け止めさせることができる。
【００４５】
第２装柱具２は、図９及び図１０に示すように、電柱Ｙから水平方向に突出し、端部で変圧器Ｘを保持する変圧器保持部（単に「保持部」ともいう）２１と、変圧器保持部２１を電柱Ｙに固定させる電柱固定部（単に「固定部」ともいう）２２とを備える。
【００４６】
変圧器保持部２１は、変圧器Ｘと電柱Ｙとを絶縁させるべく、絶縁性を有し且つ撥水性を有する部位を備える。具体的には、変圧器保持部２１は、電柱Ｙの径方向外側に向けて延設される保持部本体２１１と、保持部本体２１１の先端部に配置され、変圧器Ｘの第２被係止部Ｘ２を当接（支持）する変圧器当接部２１２を備え、変圧器当接部２１２は、全体が絶縁性を有して構成されると共に、表面が撥水性を有して構成される。
【００４７】
保持部本体２１１は、金属体で構成され、電柱Ｙと当接する基端部が電柱Ｙに対応して湾曲状（円弧状）に形成されている。また、保持部本体２１１は、基端部に、電柱固定部２２が電柱Ｙを締着するためのバンド部材２２１を、掛止する掛止部２１１ａが設けられている。
【００４８】
変圧器当接部２１２は、一対の絶縁部材２１２ａ，２１２ｂを備える。この絶縁部材のうち一方の絶縁部材（以下、「第１絶縁部材」という）２１２ａは、保持部本体２１１の先端部に設けられる孔２１１ｂから突出する突出部２１２ｃを備える一方、他方の絶縁部材（以下、「第２絶縁部材」という）２１２ｂは、保持部本体２１１から突出する突出部２１２ｃを外嵌するように構成される。
【００４９】
また、変圧器当接部２１２は、変圧器固定手段２１３により、変圧器Ｘの第２被係止部Ｘ２に固定される。この変圧器固定手段２１３は、第２被係止部Ｘ２の溝及び一対の絶縁部材２１２ａ，２１２ｂの中央部にそれぞれ設けられる孔を挿通するボルト２１３ａと、このボルト２１３ａに螺合されるナット２１２ｂとを備える。
【００５０】
したがって、変圧器Ｘの第２被係止部Ｘ２と、保持部本体２１１とは、一対の絶縁部材２１２ａ，２１２ｂにより絶縁されている。即ち、変圧器Ｘと電柱Ｙとは、変圧器当接部２１２により絶縁されている。
【００５１】
以上より、本実施形態に係る変圧器装柱具は、固定部１１が電柱Ｙから水平方向に突出する保持部１２を電柱Ｙに固定し、保持部１２が端部で変圧器Ｘを保持するため、変圧器Ｘが電柱Ｙに装着される。そして、保持部１２が絶縁性を有するアーム部１２１を備えるため、変圧器Ｘと電柱Ｙとを絶縁することができる。
【００５２】
また、本実施形態に係る変圧器装柱具は、アーム部１２１が撥水性を有するため、雨がアーム部１２１の表面に降ってもはじく。これにより、雨がアーム部１２１の表面に滞留して満たされるのを防止できるため、雨を介して変圧器Ｘと電柱Ｙとが導通するのを防止できる。したがって、降雨の際においても、変圧器Ｘと電柱Ｙとを確実に絶縁することができる。
【００５３】
また、本実施形態に係る変圧器装柱具は、固定部１１に固定されるアーム部１２１が電柱Ｙから水平方向に突出して配置され、アーム部１２１の両端部に配置される係止部１２２が変圧器Ｘと係止することにより、変圧器Ｘが電柱Ｙに装着される。そして、アーム部１２１の全体が絶縁性を有して構成されると共に、アーム部１２１の表面が撥水性を有して構成されため、変圧器Ｘと電柱Ｙとを絶縁することができる。
【００５４】
さらに、電柱Ｙが上方に向けてテーパ状に形成されているため、角筒状のアーム部１２１（の側面）が電柱Ｙの表面に沿って配置されることにより、アーム部１２１の上面が傾いて配置されている。したがって、アーム部１２１の上面に雨が降っても、雨がアーム部１２１の上面の傾きに伴って流れるため、雨がアーム部１２１の上面に滞留するのを防止できる。
【００５５】
加えて、アーム部１２１が固定部１１及び係止部１２２と着脱できるため、例えば、固定部１１や係止部１２２と一体化しているアーム部１２１を製作する場合に対して、アーム部１２１の製作を容易にすることもできるため、生産効率を向上することができる。
【００５６】
また、本実施形態に係る電柱装柱具は、筒状に形成されるアーム部１２１の内部に水平方向に沿って配置される長尺部材１２３が、固定部１１と間隙を有して配置されるため、固定部１１と係止部１２２とを絶縁させる。そして、アーム部１２１が折損した際には、係止部１２２を係止している長尺部材１２３が固定部１１に係止されるため、アーム部１２１が折損するまでは、固定部１１と係止部１２２、即ち、電柱Ｙと変圧器Ｘとを絶縁することができる一方、アーム部１２１が折損した際には、変圧器Ｘが脱落するのを防止できる。
【００５７】
なお、本発明に係る変圧器装柱具は、上記した実施の形態に限定されるものではなく、本発明の要旨を逸脱しない範囲内において種々変更を加え得ることは勿論である。
【００５８】
例えば、本発明に係る変圧器装柱具は、柱上変圧器をさまざま電柱に装着する場合に採用することができる。具体的には、金属製の鋼管柱（鋼管組立柱）や、パンザーマストや、コンクリート製のコンクリート柱や、コンクリートの基礎部と鋼管の上部とからなる複合柱といった電柱に、柱上変圧器を装着する場合に採用することができる。
【００５９】
また、上記実施形態に係る変圧器装柱具（第１装柱具１）においては、アーム部１２１が角筒状に形成される場合を説明したが、かかる場合に限られず、例えば、アーム部が丸筒状や三角筒状に形成される場合でもよい。かかる構成によれば、アーム部の上面が傾斜又は湾曲しているため、雨がアーム部の上面に滞留するのを防止できる。
【００６０】
また、上記実施形態に係る変圧器装柱具（第１装柱具１）においては、長尺部材１２３が固定部１１（保持部固定手段１１２のボルト１１２ｄ）と間隙を有して配置される場合を説明したが、かかる場合に限られず、長尺部材が係止部と間隙を有して配置される場合でもよく、また、長尺部材がそれぞれ固定部及び係止部と間隙を有して配置される場合でもよい。
【００６１】
また、上記実施形態に係る変圧器装柱具（第１装柱具１）においては、長尺部材１２３が金属体で構成される場合を説明したが、かかる場合に限られず、長尺部材が絶縁体で構成される場合でもよい。かかる構成によれば、長尺部材が固定部１１及び係止部１２２と間隙を有して配置することなく、固定部１１と係止部１２２、即ち、電柱Ｙと変圧器Ｘとを絶縁させることができる。
【００６２】
また、上記実施形態に係る変圧器装柱具（第１装柱具１）においては、長尺部材１２３が板状に形成される場合を説明したが、かかる場合に限られず、例えば、長尺部材は、アーム部１２１と同様に角筒状に形成され、アーム部１２１に外嵌される場合でもよい。
【００６３】
具体的には、長尺部材は、変圧器Ｘが重力によりアーム部１２１を付勢する力に対抗すべく、アーム部１２１の内面に当接して配置される場合でもよい。かかる構成によれば、長尺部材がアーム部１２１の内面に当接して配置されているため、変圧器Ｘが重力によりアーム部１２１を付勢する力に対抗することができる。したがって、アーム部材１２１が欠損するのを防止できる。
【００６４】
また、上記実施形態に係る変圧器装柱具（第１装柱具１）においては、一つのアーム部１２１の両端部にそれぞれ変圧器Ｘ，Ｘが保持される場合を説明したが、かかる場合に限られず、例えば、アーム部は、固定部に固定される基端部が電柱Ｙに当接し、径方向外側に向けて延びて設けられる先端部が変圧器Ｘを保持する場合でもよく、また、図１１に示すように、固定部１１’が二つのアーム部１２１，１２１を電柱Ｙに固定し、各アーム部１２１が一端部又は両端部で変圧器Ｘを保持する場合でもよい。
【００６５】
また、上記実施形態に係る変圧器装柱具においては、第１装柱具１及び第２装柱具２から構成される場合を説明したが、かかる場合に限られず、例えば、第１装柱具１のみから構成される（第２装柱具２が設けられない）場合でもよく、また、第２装柱具が第１装柱具１と同じ構成である場合（第１装柱具１が一対設けられる場合）でもよい。
【図面の簡単な説明】
【００６６】
【図１】本発明の一実施形態に係る変圧器装柱具の全体正面図を示す。
【図２】同実施形態に係る第１装柱具の全体平面図を示す。
【図３】同実施形態に係る第１装柱具の全体正面図を示す。
【図４】同実施形態に係る第１装柱具の要部側面図を示す。
【図５】同実施形態に係る第１装柱具の固定部の全体平面図を示す。
【図６】同実施形態に係る第１装柱具の固定部における、（ａ）は全体正面図、（ｂ）は全体側面図を示す。
【図７】同実施形態に係る第１装柱具の保持部における、（ａ）は全体平面図、（ｂ）は全体正面図を示す。
【図８】同実施形態に係る第１装着具の保持部における、（ａ）は全体側面図、（ｂ）は図３のＡ−Ａ線における要部拡大断面図を示す。
【図９】同実施形態に係る第２装柱具における、（ａ）は全体平面図、（ｂ）は全体正面図を示す。
【図１０】同実施形態に係る第２装柱具における、（ａ）は全体側面図、（ｂ）は図９のＢ−Ｂ線における要部拡大断面図を示す。
【図１１】本発明の他の実施形態に係る変圧器装柱具（第１装柱具）の全体正面図を示す。
【符号の説明】
【００６７】
１１…固定部、１２…保持部、１２１…アーム部、１２２…係止部、１２３…長尺部材、Ｘ…柱上変圧器、Ｘ１…（第１）被係止部、Ｘ２…（第２）被係止部、Ｙ…電柱
【図１】
2010041845.tif 000003
【図２】
2010041845.tif 000004
【図３】
2010041845.tif 000005
【図４】
2010041845.tif 000006
【図５】
2010041845.tif 000007
【図６】
2010041845.tif 000008
【図７】
2010041845.tif 000009
【図８】
2010041845.tif 000010
【図９】
2010041845.tif 000011
【図１０】
2010041845.tif 000012
【図１１】
2010041845.tif 000013